Podtech/llm-jp-corpus-v4-ja_patent huggingface dataset:
【手続補正書】
【提出日】平成25年5月1日(2013.5.1)
【手続補正１】
【補正対象書類名】特許請求の範囲
【補正対象項目名】全文
【補正方法】変更
【補正の内容】
【特許請求の範囲】
【請求項１】
下記式によって表される二置換アミノジフルオロスルフィニウムテトラフルオロボラート塩の単離された固体。
【化１】
2012530075.tif 000001
［式中、Ｒ1及びＲ2は、アルキル、アリール、アラルキル、ヘテロ環およびヘテロアリールからなる群から独立して選択され、その各々は、置換されていてもよく、またはＲ1及
びＲ2はともにＮ、ＳおよびＯから選択される１つ以上のヘテロ原子を含んでいてもよい
、置換されていてもよい炭素数４〜６のアルキレン鎖を形成する。ただし、ジメチルアミノジフルオロスルフィニウムテトラフルオロボラート、
ジエチルアミノジフルオロスルフィニウムテトラフルオロボラート（針状；融点７４−７６℃）、
ピペリジノジフルオロスルフィニウムテトラフルオロボラート（針状；融点９２−９４℃）および
モルホリノジフルオロスルフィニウムテトラフルオロボラート（角柱状；融点１０４−１０６℃）を除く。］
【請求項２】
前記単離された固体が、
ジエチルアミノジフルオロスルフィニウムテトラフルオロボラートＩＩ型形態、
ジエチルアミノジフルオロスルフィニウムテトラフルオロボラートＩＩＩ型形態、
ジエチルアミノジフルオロスルフィニウムテトラフルオロボラートＩＶ型形態、
ジエチルアミノジフルオロスルフィニウムテトラフルオロボラートＶ型形態、
ジエチルアミノジフルオロスルフィニウムテトラフルオロボラートＶＩ型形態及び
モルホリノジフルオロスルフィニウムテトラフルオロボラートＩＩ型形態から選択される、請求項１に記載の単離された固体。
【請求項３】
下記式によって表される二置換アミノジフルオロスルフィニウム塩の単離された固体を調製する方法であって、式Ｒ1Ｒ2ＮＳＦ3の未精製二置換アミノ硫黄トリフルオリドをＢＦ3
またはＨＢＦ4の供給源と接触させることを含む方法。
【化２】
2012530075.tif 000002
［式中、Ｒ1及びＲ2は、アルキル、アリール、アラルキル、ヘテロ環及びヘテロアリールからなる群から独立して選択され、その各々は、置換されていてもよい、またはＲ1及び
Ｒ2はともにＮ、Ｓ及びＯから選択される１つ以上のヘテロ原子を含んでいてもよい、置
換されていていてもよい炭素数４〜６個のアルキレン鎖を形成する。］
【請求項４】
前記未精製二置換アミノ硫黄トリフルオリドが粗反応混合物である、請求項３に記載の方法。
【請求項５】
前記粗製で未精製の二置換アミノ硫黄トリフルオリドが二置換トリメチルシリルアミン及びＳＦ4から調製される、請求項３又は４に記載の方法。
【請求項６】
前記反応が、ハロゲン化炭素溶媒、エーテル溶媒またはこれらの混合物の存在中に行われる、請求項３〜５のいずれか一項に記載の方法。
【請求項７】
前記ＢＦ3の供給源がＢＦ3ガスまたはＢＦ3エーテラート、ＢＦ3テトラヒドロフラン錯体及びＢＦ3アセトニトリル錯体からなる群から選択される錯体である、請求項３〜６のい
ずれか一項に記載の方法。
【請求項８】
前記ＨＢＦ4の供給源がＨＢＦ4エーテラート及びＨＢＦ4ジメチルエーテル錯体からなる
群から選択される錯体である、請求項３〜６のいずれか一項に記載の方法。
【請求項９】
−ＯＨ基、＝Ｏ基、−ＣＯＯＨ基及びそれらの組み合わせからなる群から選択される少なくとも１個の官能基を含む化合物のデオキソフッ素化のための方法であって、下記式によって表される二置換アミノジフルオロスルフィニウム塩及びイオン性フルオリドの外因性フルオリド供給源と、前記化合物を接触させることを含む方法。
【化３】
2012530075.tif 000003
［式中、Ｒ1及びＲ2は、アルキル、アリール、アラルキル、ヘテロ環及びヘテロアリールからなる群から独立して選択され、その各々は置換されていてもよく、またはＲ1及びＲ2はともに、Ｎ、Ｓ及びＯから選択される１つ以上のヘテロ原子を含んでいてもよい、置換されていてもよい炭素数４〜６のアルキレン鎖を形成し；また、Ｘ-は対イオンである。
］
【請求項１０】
−ＯＨ基、−ＣＯＯＨ基及びそれらの組み合わせからなる群から選択される少なくとも１個の官能基を含む化合物のデオキソフッ素化のための方法であって、下記式によって表される二置換アミノジフルオロスルフィニウム塩及び塩基と、前記化合物を接触させることを含む方法。
【化４】
2012530075.tif 000004
［式中、Ｒ1及びＲ2は、アルキル、アリール、アラルキル、ヘテロ環及びヘテロアリールからなる群から独立して選択され、その各々は置換されていてもよく、またはＲ1及びＲ2はともに、Ｎ、Ｓ及びＯから選択される１つ以上のヘテロ原子を含んでいてもよい、置換されていてもよい４〜６個の炭素原子のアルキレン鎖を形成し；また、Ｘ-は対イオンで
ある。］
【請求項１１】
前記反応が、ハロゲン化炭素、エーテル、エステル、ニトリル、芳香族及びこれらの混合物によって構成される群において選択される非プロトン性溶媒の存在中に行われる、請求項９または１０に記載の方法。
【請求項１２】
前記外因性フルオリド供給源が、アミンまたはアンモニウム塩とのフッ化水素からなる錯体である、請求項９に記載の方法。
【請求項１３】
前記外因性フルオリド供給源が、三フッ化水素トリエチルアミン、ピリジニウムポリ（フッ化水素）及びテトラブチルアンモニウムビフルオリドからなる群から選択される、請求項９に記載の方法。
【請求項１４】
前記塩基がＤＢＵ、ＤＢＮ、ＤＡＢＣＯ、Ｈｕｎｉｇ塩基、テトラメチルグアニジン、イミダゾール及びアルカリ水素化物からなる群から選択される、請求項１０に記載の方法。
【請求項１５】
前記対イオンであるＸ-がＢＦ4-である、請求項９〜１４のいずれか一項に記載の方法。
【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
デバイス取り付け部と、バーブ部と、圧縮ベアリング部とを含む、アンカー。
【請求項２】
前記圧縮ベアリング部が、前記デバイス取り付け部と、前記バーブ部との間に配置される、請求項１に記載のアンカー。
【請求項３】
a.  医療デバイスと、
b.  バーブと、
c.  該デバイスと該バーブとの間に配置される圧縮ベアリング部と、
を含む、固着型医療デバイス。
【請求項４】
前記バーブ部が金属である、請求項１に記載のアンカー。
【請求項５】
前記圧縮ベアリング部が線形である、請求項１に記載のアンカー。
【請求項６】
前記圧縮ベアリング部が非線形である、請求項１に記載のアンカー。
【請求項７】
デバイス取り付け部と、圧縮ベアリング部と、バーブ部とを有するフレキシブルなアンカーを含む医療用固定デバイスであって、
該デバイス取り付け部が医療デバイスと連結し、
該圧縮ベアリング部が該デバイス取り付け部と該バーブ部との間に配置されて、
該フレキシブルなアンカーが拡張状態と圧縮状態とを有し、
該圧縮状態が除去可能な抑制部によって維持され、
該圧縮状態中は、該圧縮ベアリング部が該除去可能な抑制部と接触し、
そして、該圧縮状態中は、該バーブ部が該除去可能な抑制部から分離される、
医療用固定デバイス。
【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
第一バルブ経路がシールされている第一位置と第一バルブ経路が開口している第二位置との間を第一軸に沿って移動可能な第一バルブ；
前記第一バルブを包囲する第一ハウジング；
前記第一バルブにスライド可能に接続され、第二バルブ経路がシールされている第三位置と第二バルブ経路が開口している第四位置との間を第二軸に沿って移動可能な第二バルブ；及び、
前記第二バルブを包囲する第二ハウジング；を備え、
前記第一軸は前記第二軸に対して横向きであり、前記第一バルブ経路と前記第二バルブ経路はレシーバ経路を規定しており、前記第二位置への第一バルブの動きが前記第四位置への第二バルブの動きを生じさせることによって、前記レシーバ経路を通じて流体を流れさせる、装置。
【請求項２】
さらに、前記第一バルブに接続された第一バルブバイアス部材；及び、
前記第二バルブに接続された第二バルブバイアス部材を含む、請求項１に記載の装置。
【請求項３】
前記第一バルブバイアス部材がさらに前記第一ハウジングに接続され；
前記第二バルブバイアス部材がさらに前記第二ハウジングに接続される、請求項２に記載の装置。
【請求項４】
前記第一バイアス部材及び前記第二バイアス部材のうち少なくとも１つがばねである、請求項２に記載の装置。
【請求項５】
さらに、前記第一バルブと接している第一バルブシーリング部材；及び
前記第二バルブと接している第二シーリング部材；
を含む、請求項１に記載の装置。
【請求項６】
前記第一シーリング部材及び前記第二シーリング部材のうち少なくとも１つがＯ−リングである、請求項５に記載の装置。
【請求項７】
第一バルブ経路がシールされている第一位置と第一バルブ経路が開口している第二位置との間を第一軸に沿って移動可能な第一バルブ；
前記第一バルブを包囲する第一ハウジング；
前記第一ハウジングに包囲され、第三位置と第四位置との間を移動可能なプランジャー部材；
前記プランジャー部材にスライド可能に接続され、第二バルブ経路がシールされている第五位置と第二バルブ経路が開口している第六位置との間を第二軸に沿って移動可能な第二バルブ；及び
前記第二バルブを包囲する第二ハウジング；
を備え、
前記第一軸は前記第二軸に対して横向きであり、前記第一バルブ経路と前記第二バルブ経路はレシーバ経路を規定しており、前記第二位置への第一バルブの動きが前記第六位置への第二バルブの動きを生じさせることによって、前記レシーバ経路を通じて流体を流れさせる装置。
【請求項８】
さらに、前記第一バルブに接続された第一バルブバイアス部材；
前記第二バルブに接続された第二バルブバイアス部材；及び
前記プランジャー部材に接続されたプランジャーバイアス部材を備える、請求項７に記載の装置。
【請求項９】
前記第一バイアス部材がさらに前記第一ハウジングに接続され；
前記第二バイアス部材がさらに前記第二ハウジングに接続される、請求項８に記載の装置。
【請求項１０】
前記第一バイアス部材、前記第二バイアス部材及び前記第三バイアス部材のうち少なくとも１つがばねである、請求項８に記載の装置。
【請求項１１】
さらに、
前記第一バルブと接している第一シーリング部材；
前記第二バルブと接している第二シーリング部材
を含む、請求項７に記載の装置。
【請求項１２】
前記第一シーリング部材及び前記第二シーリング部材のうち少なくとも１つがＯ−リングである、請求項１１に記載の装置。
【請求項１３】
さらに、前記第一ハウジングと前記第二ハウジングとを接続するハウジング接続部材を有する、請求項７に記載の装置。
【請求項１４】
前記プランジャー部材に賦活部材が接続されている、請求項７に記載の装置。
【請求項１５】
前記賦活部材が、前記第一ハウジングと前記第二ハウジングとの間に位置している、請求項１３に記載の装置。
【請求項１６】
液体を収容したタンク；及び
前記タンクに接続された装置；を含むシステムであって、
前記装置は、
第一バルブ経路がシールされている第一位置と第一バルブ経路が開口している第二位置との間を第一軸に沿って移動可能な第一バルブ；
前記第一バルブを包囲する第一ハウジング；
前記第一バルブにスライド可能に接続され、第二バルブ経路がシールされている第三位置と第二バルブ経路が開口している第四位置との間を第二軸に沿って移動可能な第二バルブ；及び
前記第二バルブを包囲する第二ハウジング；を備え、
前記第一軸は前記第二軸に対して横向きであり、前記第一バルブ経路と前記第二バルブ経路はレシーバ経路を規定しており、前記第二位置への第一バルブの動きが前記第四位置への第二バルブの動きを生じさせることによって、前記レシーバ経路を通じて流体を流れさせる、システム。
【請求項１７】
前記装置がさらに、
前記第一バルブに接続された第一バルブバイアス部材；及び
前記第二バルブに接続された第二バルブバイアス部材
を備える、請求項１６に記載のシステム。
【請求項１８】
前記装置がさらに、
前記第一バルブと接している第一バルブシーリング部材；及び
前記第二バルブと接している第二バルブシーリング部材
を備える、請求項１６に記載のシステム。
【請求項１９】
さらに前記装置に接続された機器を備える、請求項１６に記載のシステム。
【請求項２０】
前記機器が気化器である、請求項１９に記載のシステム。
【請求項２１】
前記第一バルブにカム表面が規定されており、当該カム表面が、前記第一バルブが前記第一位置から前記第二位置へ動くときに前記第二バルブと相互作用することによって、前記第二バルブが第三位置から第四位置へと移動する、
請求項１に記載の装置。
【請求項２２】
前記第一バルブにカム表面が規定されており、当該カム表面が、前記第一バルブが前記第一位置から前記第二位置へ動くときに前記第二バルブと相互作用することによって、前記第二バルブが第三位置から第四位置へと移動する、
請求項１６の記載のシステム。
【請求項２３】
前記第一バルブバイアス部材が前記第一バルブを第一方向に付勢し、前記第二バルブバイアス部材が前記第二バルブを第二方向に付勢し、前記第二方向は前記第一方向に対して直交している、
請求項２に記載の装置。
【請求項２４】
前記第一バルブバイアス部材が前記第一バルブを第一方向に付勢し、前記第二バルブバイアス部材が前記第二バルブを第二方向に付勢し、前記第二方向は前記第一方向に対して直交している、
請求項１７に記載のシステム。
【請求項２５】
前記第一ハウジングが前記第二ハウジングに固定的に連結されているので、前記第一ハウジングと前記第二ハウジングは相対的に動かず、前記第一バルブは前記第一位置と第二位置との間を動き、前記第二バルブは前記第三位置と第四位置との間を動く、請求項１に記載の装置。
【請求項２６】
前記第一ハウジングが前記第二ハウジングに固定的に連結されているので、前記第一ハウジングと前記第二ハウジングは相対的に動かず、前記第一バルブは前記第一位置と第二位置との間を動き、前記第二バルブは前記第三位置と第四位置との間を動く、請求項１６に記載のシステム。
【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
延長システムであって、椎骨に結合される椎骨インプラントに機能的に結合されるべく構成されており、該インプラントは、第１の骨アンカーと、第１の骨アンカーを受け入れる第１のアンカー座部とを具備し、この延長システムが、
延長部材であって、本体と、本体に結合される係合部材とを含み、延長部材は係合部材を通って延びる開口部を形成する、上記延長部材と、
開口部の中に配置されるブッシングと、
固定具であって、係合部材を椎骨インプラントに結合すべく構成されてなる、上記固定具と、
第２の骨アンカーであって、延長部材を、椎骨に隣接して配置された、下にある骨に取り付ける、上記第２の骨アンカーと、を備え、
延長部材は、ブッシングに対して多軸的にピボット可能である、
ことを特徴とする延長システム。
【請求項２】
固定具は、ブッシングに係合することを特徴とする請求項１に記載の延長システム。
【請求項３】
延長システムがさらに、固定具に係合するロック部材を備え、ブッシングは、ロック部材と椎骨インプラントとの間に捕捉されることを特徴とする請求項１に記載の延長システム。
【請求項４】
延長部材の本体は、係合部材に対して、実質的に同一平面にあることを特徴とする請求項１に記載の延長システム。
【請求項５】
延長部材の本体は、係合部材に対して、オフセットしていることを特徴とする請求項１に記載の延長システム。
【請求項６】
延長部材の本体は、係合部材に対して、垂直にオフセットしていることを特徴とする請求項５に記載の延長システム。
【請求項７】
延長部材の本体は、係合部材に対して、斜めにオフセットしていることを特徴とする請求項５に記載の延長システム。
【請求項８】
延長部材の本体は、屈曲していることを特徴とする請求項５に記載の延長システム。
【請求項９】
延長部材の本体は、Ｓ字形になっていることを特徴とする請求項８に記載の延長システム。
【請求項１０】
延長部材は、実質的に円筒形であるロッド本体を有してなる、ロッドを備えていることを特徴とする請求項１に記載の延長システム。
【請求項１１】
延長システムがさらに、椎骨インプラントであって、第２の骨アンカーと、骨アンカーに結合されて、延長部材を受けるべく構成された第２のアンカー座部と、を備えてなる上記椎骨インプラントと、延長部材をアンカー座部内にて固定すべく構成されてなるロックキャップとを備えていることを特徴とする請求項１に記載の延長システム。
【請求項１２】
延長システムがさらに、ロック部材を備え、固定具は、ロック部材に取り付けられるべく構成されてなる近位端と、第１のアンカー座部に結合されるべく構成されてなる遠位端と、近位端と遠位端との間に配置された中間部分と、を有し、中間部分は、ブッシング内に受け入れられて、ブッシングが、ロックナットとアンカー座部との間に捕捉されるべく構成されていることを特徴とする請求項１に記載の延長システム。
【請求項１３】
延長部材は、係合部材を延通する開口部を形成し、固定具の中間部分とブッシングの内面とのうち少なくとも１つには、テーパが付けられ、固定具が係合部材の開口部に挿通されたとき、固定具の中間部分によって、ブッシングは係合部材に対して拡張することを特徴とする請求項１２に記載の延長システム。
【請求項１４】
延長部材は、プレート本体と、プレート本体に延通された複数の開口部とを有してなる、プレートを備え、それぞれの開口部は、第２の骨アンカーを受け入れるように構成され、プレート本体を下にある骨に取り付けることを特徴とする請求項１に記載の延長システム。
【請求項１５】
下にある骨は同種移植片から構成されていることを特徴とする請求項１４に記載の延長システム。
【請求項１６】
下にある骨は、椎骨であることを特徴とする請求項１に記載の延長システム。
【請求項１７】
下にある骨は後頭部であることを特徴とする請求項１に記載の延長システム。
【請求項１８】
下にある骨は薄層を備えていることを特徴とする請求項１に記載の延長システム。
【請求項１９】
延長部材は、第１のアンカー座部を、既に移植された層貫通ねじに結合すべく構成されていることを特徴とする請求項１に記載の延長システム。
【請求項２０】
延長システムがさらに、後頭部に固定されるべく構成されると共に、さらに延長部材にも係合すべく構成された後頭部プレートを備え、延長部材は、椎骨と後頭部との間に結合されることを特徴とする請求項１に記載の延長システム。
【請求項２１】
下にある複数の骨に固定されるべく構成されたカスケード式延長部分システムであって、このカスケード式延長部分システムが、
複数の構造延長部分を備え、それぞれの構造延長部分が、
下にある骨の中に移植されるべく構成された骨アンカーと、骨アンカーを受けるべく構成された骨アンカー座部と、
延長部材であって、近位端と、これとは反対側にあり、近位端に比べて低くなっている遠位端とを具備してなる上記延長部材と、近位端に結合される係合部材と、を形成した本体を具備してなる上記延長部材と、
固定具であって、第１の下にある骨に移植されるべく構成された構造延長部分における隣接する１つの骨アンカー座部に、延長部材を結合するように構成されてなる、上記固定具と、
延長部材の遠位端を第２の下にある骨に取り付けるべく構成された、第２の骨アンカーと、
を具備していることを特徴とするカスケード式延長部分システム。
【請求項２２】
延長部材は、係合部材に延通された開口部を形成し、さらに開口部内にて多軸的にピボット可能なブッシングを具備し、固定具は、ブッシングを骨アンカー座部に結合すべく構成されていることを特徴とする請求項２１に記載のカスケード式延長部分システム。
【請求項２３】
ブッシングは、上位面、下位面、及び上位面から下位面に延びる内面を形成し、この内面は下位テーパ部と、上位テーパ部とを有し、下位テーパ部は、下位面と内面の中間点との間に延び、さらに、上位テーパ部は、上位面と内面の中間点との間に延びていることを特徴とする請求項１に記載の延長システム。
【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
デバイス取り付け部と、バーブ部と、拡張ベアリング部とを含む、アンカー。
【請求項２】
デバイス取り付け部と、拡張ベアリング部と、バーブ部とを有するバルーン拡張性アンカーを含む医療用固定デバイスであって、
該アンカー拡張ベアリング部が、該アンカーデバイス取り付け部と該アンカーバーブ部との間に配置されて、
該デバイス取り付け部が、第１の圧縮プロファイルと第２の拡張プロファイルとを有する拡張性医療デバイスと連結し、
該アンカーバーブ部が該第１の圧縮プロファイル内に配置されて、
そして、該アンカーが変形して、該第２の拡張プロファイルの外側に該アンカーバーブ部を延在させる、
医療用固定デバイス。
【請求項３】
前記拡張ベアリング部が、前記デバイス取り付け部と前記バーブ部との間に配置される、請求項１に記載のアンカー。
【請求項４】
a.  医療デバイスと、
b.  バーブと、
c.  該デバイスと該バーブとの間に配置される拡張ベアリング部と、
を含む、固着型医療デバイス。
【請求項５】
前記バーブ部が金属である、請求項１に記載のアンカー。
【請求項６】
前記拡張ベアリング部が線形である、請求項１に記載のアンカー。
【請求項７】
前記拡張ベアリング部が非線形である、請求項１に記載のアンカー。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
創傷の治癒を促進させる装置であって、
該装置は、
創傷を覆うレザバーを規定するように該創傷上に位置決めされるカバー層と、
滲出物導管であって、該滲出物導管は、繊維コアを含み、該繊維コアは、複数の繊維を有し、該複数の繊維は、該創傷から流体を毛管作用で搬送するために該レザバーに連絡しており、該繊維コアは、繊維の内側バンドルおよび繊維の外側バンドルを含む、滲出物導管と
を含み、
該内側バンドルは、流体吸収を抑制する疎水性繊維を含み、該外側バンドルは、流体吸収を促進する親水性繊維を含む、装置。
【請求項２】
前記複数の繊維のうちの少なくとも一部は、前記滲出物導管の創傷端部に少なくとも部分的に隣接して接している、請求項１に記載の装置。
【請求項３】
前記滲出物導管は、前記繊維コアを少なくとも部分的に収容する外側スリーブを含み、前記繊維のうちの少なくともいくつかは、該外側スリーブを越えて延在する、請求項２に記載の装置。
【請求項４】
前記複数の繊維のうちの少なくとも１つは、疎水性材料を含む、請求項１に記載の装置。
【請求項５】
前記繊維の外側バンドルは、前記繊維の内側バンドルの周りで、編まれ、織られまたはより合わせられている、請求項１に記載の装置。
【請求項６】
前記繊維コアは、抗菌物質、防腐剤および界面活性剤からなる群より選択される少なくとも１つの添加剤を含む、請求項１に記載の装置。
【請求項７】
前記滲出物導管は前記カバー層に近接して位置決めされるように適合された創傷端部と、減圧供給源に流体的に接続されるように適合された減圧端部とを有し、該創傷端部に隣接している前記繊維コアの領域における前記少なくとも１つの添加剤の濃度は、前記減圧端部に隣接している該繊維コアにおける該少なくとも１つの添加剤の濃度よりも大きい、請求項６に記載の装置。
【請求項８】
前記繊維コアは、
細長いウィックを規定し、該細長いウィックは、第一の端部および第二の端部を有し、該第一の端部は、該レザバーと該カバー層における該アパーチャを通して流体連絡しており、該第二の端部は、該カバー層における該アパーチャに対して離れて配置されており、該細長いウィックは、該細長いウィックを通した流体の長手方向輸送のために適合され、
前記装置は、
可撓性ウィックカバーであって、該可撓性ウィックカバーは、該細長いウィックを覆って延在しており、第一の端部および第二の端部を有し、該第一の端部は、実質的に流体密な密閉を該カバー層における該アパーチャを覆って形成するために構成されており、該第二の端部は、該第二の端部の中にアパーチャを含み、該アパーチャを通して流体は該細長いウィックから抽出され得る、可撓性ウィックカバーと、
流体ポートであって、該流体ポートは、該ウィックカバーに連結し、該細長いウィックの該第二の端部と該ウィックカバーにおける該アパーチャを通して流体連絡しており、該流体ポートは、流体導管を受け取るように構成されている、流体ポートと
をさらに備える、請求項１に記載の装置。
【請求項９】
前記ウィックカバーは、該ウィックカバー上に印を含み、該印は、前記流体ポートからの距離を示す、請求項８に記載の装置。
【請求項１０】
前記印は、前記ウィックカバー上に罫線を含む、請求項９に記載の装置。
【請求項１１】
前記流体ポートは、フランジを含み、該フランジは、前記ウィックカバーの下側に連結されている、請求項８に記載の装置。
【請求項１２】
前記細長いウィックは、抗菌剤によって処理され、該抗菌剤は、ポリヘキサメチレンビグアニドである、請求項８に記載の装置。
【請求項１３】
前記ウィックカバーの下部表面に解除可能な態様で付着されている裏張り層をさらに備え、その結果、該細長いウィックが該ウィックカバーと該裏張り層との間に挿入される、請求項８に記載の装置。
【請求項１４】
前記ウィックカバーは、該ウィックカバーの中にアパーチャを備え、該アパーチャを通して創傷流体が抜かれ得る、請求項１３に記載の装置。
【請求項１５】
創傷治癒を促進させるシステムであって、
創傷上に位置決めされるように構成され、該創傷上にレザバーを規定するようにさらに構成されたカバー層を含む創傷包帯と、
滲出物導管であって、該滲出物導管は、繊維コアを含み、該繊維コアは、複数の繊維を有し、該複数の繊維は、該創傷から流体を毛管作用で搬送するために該レザバーに連絡している、滲出物導管と
を含み、
該繊維コアは、繊維の内側バンドルおよび繊維の外側バンドルを含み、該内側バンドルは、流体吸収を抑制する疎水性繊維を含み、該外側バンドルは、流体吸収を促進する親水性繊維を含む、システム。
【手続補正書】
【提出日】平成25年6月20日(2013.6.20)
【手続補正１】
【補正対象書類名】特許請求の範囲
【補正対象項目名】全文
【補正方法】変更
【補正の内容】
【特許請求の範囲】
【請求項１】
ＲＳＶのＦタンパク質ポリペプチドのＦ２ドメイン及びＦ１ドメインを含んでなり、膜貫通ドメインを欠くＲＳＶ  Ｆタンパク質ポリペプチドを含んでなる、組換え呼吸器多核体ウイルス（ＲＳＶ）抗原であって、前記Ｆタンパク質ポリペプチドがグリコシル化を変化させる少なくとも１つの修飾を含んでなり、前記グリコシル化を変化させる修飾が、配列番号２の５００位に対応するアミノ酸を含んでなる及び／又はそれに隣接する１以上のアミノ酸の置換を含んでなる、組換え呼吸器多核体ウイルス（ＲＳＶ）抗原。
【請求項２】
前記Ｆタンパク質ポリペプチドが、
（ｉ）ヘテロ三量体化ドメインを含んでなるアミノ酸配列の付加、
（ｉｉ）少なくとも１つのフリンプロテアーゼ切断部位の欠失、
（ｉｉｉ）少なくとも１つの非フリンプロテアーゼ切断部位の欠失、
（ｉｖ）ｐｅｐ２７ドメインの１以上のアミノ酸の欠失、及び
（ｖ）Ｆタンパク質の細胞外ドメインの疎水性ドメインにおける親水性アミノ酸の少なくとも１つの置換又は付加
から選択される少なくとも１つの修飾を含んでなる、請求項１に記載の組換えＲＳＶ抗原。
【請求項３】
配列番号２の５００〜５０２位に対応するアミノ酸が、ＮＧＳ、ＮＫＳ、ＮＧＴ、ＮＫＴから選択される、請求項１又は２に記載の組換えＲＳＶ抗原。
【請求項４】
前記グリコシル化を変化させる修飾が、配列番号２の５００位に対応するアミノ酸におけるグルタミン置換を含んでなる、請求項１〜３のいずれか一項に記載の組換えＲＳＶ抗原。
【請求項５】
前記可溶性Ｆタンパク質ポリペプチドが、Ｆ２ドメインとＦ１ドメインの間に未変化の融合ペプチドを含んでなる、請求項１〜４のいずれか一項に記載の組換えＲＳＶ抗原。
【請求項６】
前記少なくとも１つの修飾が、ヘテロ三量体化ドメインを含んでなるアミノ酸配列の付加を含んでなる、請求項１〜５のいずれか一項に記載の組換えＲＳＶ抗原。
【請求項７】
前記ヘテロ三量体化ドメインが前記Ｆ１ドメインのＣ末端に位置する、請求項６に記載の組換えＲＳＶ抗原。
【請求項８】
介在性フリン切断部位を伴わないＦ２ドメインとＦ１ドメインを含んでなる、請求項１〜７のいずれか一項に記載の組換えＲＳＶ抗原。
【請求項９】
前記Ｆ２ドメインが、配列番号２の参照Ｆタンパク質前駆体ポリペプチド（Ｆ０）のアミノ酸番号２６〜１０５に対応するＲＳＶのＦタンパク質ポリペプチドの少なくとも一部を含んでなる、請求項１〜８のいずれか一項に記載の組換えＲＳＶ抗原。
【請求項１０】
前記Ｆ１ドメインが、配列番号２の参照Ｆタンパク質前駆体ポリペプチド（Ｆ０）のアミノ酸番号１３７〜５１６に対応するＲＳＶのＦタンパク質ポリペプチドの少なくとも一部を含んでなる、請求項１〜９のいずれか一項に記載の組換えＲＳＶ抗原。
【請求項１１】
前記ＲＳＶ抗原が、
（ａ）配列番号２２を含んでなるポリペプチド、
（ｂ）配列番号２１によってコードされるポリペプチド又は配列番号２１にストリンジェントな条件下で実質的に全長にわたってハイブリダイズするポリヌクレオチド配列によってコードされるポリペプチド、
（ｃ）配列番号２２と少なくとも９５％の配列同一性を持つポリペプチド
からなる群から選択される、請求項１〜１０のいずれか一項に記載の組換えＲＳＶ抗原。
【請求項１２】
前記ＲＳＶ抗原が、天然に存在するＦタンパク質前駆体（Ｆ０）に存在するフリン切断部位を消失させる少なくとも１つのアミノ酸の付加、欠失又は置換を含んでなる、請求項１〜１１のいずれか一項に記載の組換えＲＳＶ抗原。
【請求項１３】
前記ＲＳＶ抗原が、配列番号２の参照Ｆタンパク質前駆体（Ｆ０）のアミノ酸番号１０５〜１０９に対応する位置で、アミノ酸番号１３３〜１３６に対応する位置で、又はアミノ酸番号１０５〜１０９とアミノ酸番号１３３〜１３６に対応する双方の位置においてフリン切断部位を消失させるアミノ酸の付加、欠失又は置換を含んでなる、請求項１２に記載の組換えＲＳＶ抗原。
【請求項１４】
前記ＲＳＶ抗原が、ポリペプチドの多量体を含んでなる、請求項１〜１３のいずれか一項に記載の組換えＲＳＶ抗原。
【請求項１５】
前記ＲＳＶ抗原が、ポリペプチドの三量体を含んでなる、請求項１〜１４のいずれか一項に記載の組換えＲＳＶ抗原。
【請求項１６】
請求項１〜１５のいずれか一項に記載の組換えＲＳＶ抗原と薬学上許容可能なキャリア又は賦形剤とを含んでなる、免疫原性組成物。
【請求項１７】
アジュバントをさらに含んでなる、請求項１６に記載の免疫原性組成物。
【請求項１８】
請求項１〜１７のいずれか一項に記載の組換えＲＳＶ抗原をコードするポリヌクレオチド配列を含んでなる、組換え核酸。
【請求項１９】
前記核酸が、
（ａ）配列番号２１を含んでなるポリヌクレオチド配列、
（ｂ）配列番号２２をコードするポリヌクレオチド配列、
（ｃ）配列番号２１にストリンジェントな条件下で実質的に全長にわたってハイブリダイズするポリヌクレオチド配列、
（ｄ）配列番号２１と少なくとも９５％の配列同一性を持つポリヌクレオチド配列
から選択されるポリヌクレオチド配列を含んでなり、前記ポリヌクレオチド配列は、天然に存在するＲＳＶ株とは一致しない、請求項１８に記載の組換え核酸。
【請求項２０】
請求項１〜１５のいずれか一項に記載のＲＳＶ抗原または請求項１９に記載の核酸を含んでなる、ＲＳＶ感染を治療することに用いるための医薬組成物
【請求項２１】
ＲＳＶ感染の予防的治療を目的とした、請求項２０に記載の医薬組成物。
【請求項２２】
請求項１〜１５のいずれか一項に記載のＲＳＶ抗原または請求項１６若しくは１７に記載の免疫原性組成物を含んでなる医薬組成物。
【請求項２３】
請求項１〜１５のいずれか一項に記載の組換えＲＳＶ抗原を含んでなる、ＲＳＶ関連疾患の予防若しくは治療のための医薬組成物、または、ＲＳＶ関連疾患の予防若しくは治療のための請求項１６若しくは１７に記載の免疫原性組成物。
【請求項２４】
変化したグリコシル化パターンを持つ組換えＲＳＶ抗原の製造方法であって、
（ｉ）宿主細胞において請求項１８または１９に記載の核酸を発現させること、及び
（ｉｉ）それによって発現させた組換えＲＳＶ抗原を単離することを含んでなる、方法。
【請求項２５】
ＲＳＶ融合タンパク質ポリペプチドの発現を高める方法であって、宿主細胞においてアミノ酸の付加、欠失又は置換を生じさせる少なくとも１つの変異を含んでなるＲＳＶ融合タンパク質ポリペプチドをコードする核酸を発現させることを含んでなる方法（ここで、前記アミノ酸の付加、欠失又は置換は、天然に存在するＲＳＶ融合タンパク質に比べてコードされるＲＳＶ融合タンパク質ポリペプチドのグリコシル化部位を変化させ、前記グリコシル化部位を変化させることにより、アミノ酸の付加、欠失又は置換がないＲＳＶ融合タンパク質に比べて前記ＲＳＶ融合タンパク質ポリペプチドの発現を高める）。
【手続補正書】
【提出日】平成25年6月20日(2013.6.20)
【手続補正１】
【補正対象書類名】特許請求の範囲
【補正対象項目名】全文
【補正方法】変更
【補正の内容】
【特許請求の範囲】
【請求項１】
本体部分と超音波信号を送受信するためにアレイ内に配置される複数の変換器とを含む超音波変換器探触子ユニットであって、
前記変換器が、超音波モータにより前記本体部分に対して繰り返し運動で移動し、
前記モータが、前記変換器の移動を少なくとも１つの停止位置で周期的に停止させるのに適しており、少なくとも１つの変換器が、前記変換器が前記停止位置で停止している間に、ドップラー情報を与えるのに適した超音波信号を送受信する、
超音波変換器探触子ユニット。
【請求項２】
前記変換器アレイが、直線軸に沿って、選択された直線距離だけ往復運動で移動し、前記直線軸に沿った前記アレイの変換器間の直線間隔が、前記直線距離とほぼ同じ大きさであり、前記探触子ユニットが、ドップラー情報とBモード情報を供する処理のため、各々の往復運動の間に複数の走査線を取得するように操作される、請求項１に記載の探触子ユニット。
【請求項３】
前記ユニットが、ゲートドップラー法、パワードップラー法、パルス波ドップラー法、カラードップラー法、及び２重ドップラー法の情報のうちの少なくとも１つの表示を可能にする処理のためにドップラー情報を供するのに適した走査線データを作成するのに適している、請求項１に記載の探触子ユニット。
【請求項４】
前記モータが、超音波モータである、請求項１乃至３のうちのいずれか一項に記載の探触子ユニット。
【請求項５】
前記アレイの移動が、連続する往復運動において前記身体部分に対して選択された停止位置に１ミリメートル未満の誤差で戻るように制御され得る、請求項１に記載の超音波変換器探触子ユニット。
【請求項６】
低密度の超音波変換器アレイを利用して超音波画像を作成する方法であって、
前記変換器の少なくとも１つを発動させて、造影される身体から戻る超音波エコーを受信することにより、超音波走査線を取得する工程と、
前記アレイを増分距離だけ移動させて、前記変換器から別の超音波走査線を取得する工程と、
少なくとも1つの停止位置で前記変換器の運動を停止させる工程と、
前記アレイが、前記増分距離よりも実質的に大きい選択された距離だけ移動するまで、走査線を取得する工程と前記アレイを移動させる工程とを繰り返す工程と、
前記走査線が捕獲された空間関係に比例する空間関係で前記取得された走査線を表示する工程と、
実時間超音波画像を表示する工程と
を含み、
前記実時間超音波画像は、前記変換器が各停止位置で停止している間に取得される走査線からのドップラー情報、及び、前記アレイが移動しているときに取得される走査線からのBモード情報を含む、
方法。
【請求項７】
前記アレイが、一連の離散的ステップで移動する、請求項６に記載の方法。
【請求項８】
前記アレイの前記移動及び前記走査線の前記取得が、利用者からの開始命令と停止命令との間で実質的に連続している、請求項６に記載の方法。
【請求項９】
利用者が前記画像の領域をドップラー窓として選択する工程を更に含む請求項６に記載の方法であって、
前記変換器は、移動して画像走査線を取得し、前記変換器により取得される走査線がドップラー窓に入るように、停止位置で停止するように制御され、ドップラー処理のための複数の走査線を停止位置で取得し、再び移動して走査線を取得し、前記停止位置に戻ってドップラー処理のための別の複数の走査線を取得し、
前記停止位置への前記戻りが、ドップラー造影を続けるのを可能にするのに十分な精度であり、
前記走査線は、ドップラー情報を有する超音波画像を利用者に表示するように処理される、
方法。
【請求項１０】
前記ドップラー情報が、ゲートドップラー法、パワードップラー法、パルス波ドップラー法、カラードップラー法、及び２重ドップラー法のうちの少なくとも１つとを含む、請求項６に記載の方法。
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
患者の治療に使用するための胸腔内圧調整システムであって、前記胸腔内圧調整システムは、
患者に流体連通する患者ポートと；
換気機構に流体連通する換気ポートであって、前記換気機構は、前記患者ポートを介して患者に施される陽圧換気処置を促進することと；
真空機構に流体連通する真空ポートであって、前記真空機構は、前記患者ポートを介して患者に施される真空処置を促進することと；
流体の流れを制御するための弁と
を有し、
前記弁は、
前記陽圧換気処置を施している間には、前記換気ポートと前記患者ポートとの間の流体の流れを許して前記真空ポートと前記患者ポートとの間の流体の流れを阻止し、
前記真空処置を施している間には、前記換気ポートと前記患者ポートとの間の流体の流れを阻止して前記真空ポートと前記患者ポートとの間の流体の流れを許す、
胸腔内圧調整システム。
【請求項２】
前記胸腔内圧調整システムはさらに、前記弁に動作結合している終末呼気陽圧機構を有し、
前記弁はさらに、前記真空処置を施す前または後で行われる終末呼気陽圧治療を施す間には、前記終末呼気陽圧機構と前記患者ポートとの間の流体の流れを許す、
請求項１記載の胸腔内圧調整システム。
【請求項３】
前記胸腔内圧調整システムはさらに、前記患者ポートに流体連通している圧力センサを有し、
前記圧力センサは、
前記陽圧換気処置を施している間には陽圧の適用を示し、
前記真空処置を施している間には陰圧の適用を示す、
請求項１記載の胸腔内圧調整システム。
【請求項４】
前記弁は、前記陽圧換気処置が開始すると、前記換気ポートと前記患者ポートとの間の流体の流れを許し、かつ前記真空ポートと前記患者ポートとの間の流体の流れを阻止するように作動する、
請求項１記載の胸腔内圧調整システム。
【請求項５】
前記換気機構は、麻酔器を有する、
請求項１記載の胸腔内圧調整システム。
【請求項６】
患者の治療に使用するための胸腔内圧調整システムであって、前記胸腔内圧調整システムは、
循環補助モード、換気モード、および持続的気道陽圧モードからなるグループから選択された一要素を指定するオペレータ選択入力を受取るプロセッサと；
前記プロセッサに動作結合しているマニホールドアセンブリと；
前記胸腔内圧調整システムが前記循環補助モードにあるときには、呼気腔を介して患者に陰圧治療を提供する一定または調節可能な陰圧機構と；
前記胸腔内圧調整システムが換気モードにあるときには、吸気腔を介して患者に陽圧換気治療を提供する陽圧換気機構と、前記胸腔内圧調整システムが持続的気道陽圧モードにあるときには、前記呼気腔を介して患者に調節可能な持続的気道陽圧治療を提供する調節可能な持続的気道陽圧機構とからなるグループから選択された一要素と
を有し、
前記マニホールドアセンブリは、
吸気面に流体連通して酸素源から酸素を受取る酸素吸入ポートと；
前記吸気面に流体連通して空気源から空気を受取る空気吸入ポートと；
呼気面に流体連通して呼気ガスを前記陰圧機構に向けて通過させる呼気ガス排出ポートと；
空気と酸素を患者に向けて送出す吸気腔と、呼気ガスを患者から引取る前記呼気腔とを備えた患者回路インタフェースと；
前記吸気面と前記吸気腔との間の流体の流れを制御する吸気制御弁アセンブリと；
前記呼気面と前記呼気ガス排出ポートとの間の流体の流れを制御する呼気制御弁アセンブリと
を有する、胸腔内圧調整システム。
【請求項７】
前記胸腔内圧調整システムは、前記陽圧換気機構と、調節可能な前記持続的気道陽圧機構とを有する、
請求項６記載の胸腔内圧調整システム。
【請求項８】
前記胸腔内圧調整システムはさらに、患者に終末呼気陽圧治療を提供する終末呼気陽圧機構を有する、
請求項６記載の胸腔内圧調整システム。
【請求項９】
前記胸腔内圧調整システムはさらに、
ユーザディスプレイと；
生理的センサと機械的センサとからなるグループから選択されたセンサ機構と
を有し、
前記プロセッサは、心肺蘇生の質または循環に関する情報を表示するために、前記センサ機構から受取った患者情報に基づき前記ユーザディスプレイにディスプレイ指示を送る、
請求項６記載の胸腔内圧調整システム。
【請求項１０】
前記プロセッサは、前記センサ機構から受取った患者フィードバック情報に基づき前記
ユーザディスプレイに前記ディスプレイ指示を送り、
前記ディスプレイ指示は、心肺蘇生治療を施している間の心肺蘇生の質に関係する、
請求項９記載の胸腔内圧調整システム。
【請求項１１】
前記プロセッサは、前記センサ機構から受取った患者フィードバック情報に基づき前記ユーザディスプレイに前記ディスプレイ指示を送り、
前記ディスプレイ指示は、非心肺蘇生治療を施している間の循環に関係する、
請求項９記載の胸腔内圧調整システム。
【請求項１２】
前記換気機構は、麻酔器を有する、
請求項６記載の胸腔内圧調整システム。
【請求項１３】
患者に胸腔内圧調整治療を提供する胸腔内圧調整システムの動作方法であって、前記患者は敗血症、ショック、心不全、心停止、急性呼吸促迫症候群、多発性外傷、頭部疾患、肝静脈圧もしくは門脈圧の上昇、腹部、頭部、および頚部手術中の出血、または開心術中の循環不全を患っているか、または発現させるリスクを有し、
前記動作方法は、
前記胸腔内圧調整システムが循環補助モードにあるときには、前記胸腔内圧調整システムの呼気腔を介して、患者に一定または調節可能な陰圧治療を施すように前記胸腔内圧調整システムを制御することと；
前記胸腔内圧調整システムが換気モードにあるときには、前記胸腔内圧調整システムの吸気腔を介して、患者に陽圧換気治療を施すように前記胸腔内圧調整システムを制御することと、または前記胸腔内圧調整システムが持続的気道陽圧モードにあるときには、前記呼気腔を介して患者に調節可能な持続的気道陽圧治療を施すように前記胸腔内圧調整システムを制御することと
を備える、
胸腔内圧調整システムの動作方法。
【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
体外循環システムに血液を送り出すための装置であって、
−  遠心ポンプであって、前記ポンプの吸引側に接続された静脈ホースラインを介して送り出される前記血液を吸引するとともに前記ポンプの排出側に接続された動脈ホースラインを介して前記血液を排出する遠心ポンプと、
−  前記ポンプの前記排出側の排出量を検出するとともに前記排出量に対応する測定信号を出力する流量センサと、
−  前記ポンプの前記排出側の圧力を検出するとともに前記圧力に対応する測定信号を出力する圧力センサと、
−  前記流量センサの前記測定信号および前記圧力センサの前記測定信号が供給されるとともに、２つの前記測定信号および前記遠心ポンプの回転速度に基づいて前記ポンプの前記吸引側の圧力に対応する値を決定する、評価ユニットと、を有する、
装置。
【請求項２】
前記評価ユニットは、前記ポンプの前記吸引側の前記圧力に対応する前記値を決定するときに、前記遠心ポンプの特性のセットにアクセスする、
請求項１に記載の装置。
【請求項３】
前記遠心ポンプの前記特性のセットは前記評価ユニットのメモリに格納される、
請求項２に記載の装置。
【請求項４】
前記評価ユニットは、少なくとも、前記ポンプの吸引側の真空度を表示するためのおよび／または操作者に警告するための表示手段に接続される、
請求項１乃至３のいずれか１項に記載の装置。
【請求項５】
回転速度センサの測定信号が前記評価ユニットに供給される、
請求項１乃至３のいずれか１項に記載の装置。
【請求項６】
前記ポンプの回転速度に対応する前記ポンプの制御信号が、前記評価ユニットに供給される、
請求項１乃至３のいずれか１項に記載の装置。
【請求項７】
前記評価ユニットは、前記遠心ポンプの回転速度を決定する制御信号が前記遠心ポンプに供給され得るように、前記遠心ポンプ用の制御装置の機能を担うまたは前記遠心ポンプ用の制御装置に統合される、
請求項１乃至４のいずれか１項に記載の装置。
【請求項８】
前記評価ユニットは、前記ポンプの前記吸引側の圧力の所定値に達したときに、前記遠心ポンプの回転速度を減少させる、
請求項７に記載の装置。
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
二相性のリン酸カルシウム／ハイドロキシアパタイト（ＣＡＰ／ＨＡＰ）骨代用材料であって、
焼結されたＣＡＰコアと、
焼結されたＣＡＰコアの上に堆積した、少なくとも１つの均等な閉じられたエピタキシャルに成長したナノ結晶ＨＡＰの層とを含み、
エピタキシャルに成長したナノ結晶は、人の骨塩と同じサイズおよび形態、すなわち３０〜４６ｎｍの長さおよび１４〜２２ｎｍの幅を有する、ＣＡＰ／ＨＡＰ骨代用材料。
【請求項２】
エピタキシャルに成長したナノ結晶ＨＡＰの層は、概して、少なくとも１５〜５０ｎｍの厚さを有する、請求項１に記載のＣＡＰ／ＨＡＰ骨代用材料。
【請求項３】
エピタキシャルに成長したナノ結晶ＨＡＰの層は、概して、少なくとも２０〜４０ｎｍの厚さを有する、請求項１に記載のＣＡＰ／ＨＡＰ骨代用材料。
【請求項４】
材料とＨＡＰとの比は５：９５と９５：５の間である、請求項１〜３のいずれかに記載のＣＡＰ／ＨＡＰ骨代用材料。
【請求項５】
焼結されたＣＡＰコア材料とＨＡＰとの比は１０：９０と９０：１０の間である、請求項１〜３のいずれかに記載のＣＡＰ／ＨＡＰ骨代用材料。
【請求項６】
焼結されたＣＡＰコアは本質的にα−ＴＣＰからなる、請求項１〜５のいずれかに記載のＣＡＰ／ＨＡＰ骨代用材料。
【請求項７】
微粒子または顆粒である、請求項１〜６のいずれかに記載のＣＡＰ／ＨＡＰ骨代用材料。
【請求項８】
成形体である、請求項１〜６のいずれかに記載のＣＡＰ／ＨＡＰ骨代用材料。
【請求項９】
ねじ、釘またはピンである、請求項８に記載の成形体。
【請求項１０】
身体の骨部分の輪郭を有する構造である、請求項８に記載の成形体。
【請求項１１】
請求項１〜１０のいずれかに記載のＣＡＰ／ＨＡＰ骨代用材料を調製するプロセスであって、
ａ）焼結されたＣＡＰコア材料を調製するステップと、
ｂ）焼結されたＣＡＰコア材料を１０℃と５０℃の間の温度で水溶液に浸して、ＣＡＰからＨＡＰへの変換プロセスを開始させ、これにより、均等な閉じられたエピタキシャルに成長したナノ結晶ハイドロキシアパタイトの層が、焼結されたＣＡＰコア材料表面上に形成されるステップであって、エピタキシャル成長したナノ結晶は人の骨塩と同じサイズおよび形態を有するステップと、
ｃ）少なくとも１つのＨＡＰのナノ結晶層の均等な閉じられたコーティングが存在している時であって、変換プロセスが完全に終了する前に、水溶液から固体材料を分離することによって変換を停止させるステップと、
ｄ）オプションとして、ステップｃ）から得られる分離された材料を滅菌するステップとを含む、プロセス。
【請求項１２】
ステップｂ）においては、水溶液のｐＨが５．５〜９．０の範囲内のままである、請求項１１に記載のプロセス。
【請求項１３】
ステップｂ）における温度は、２５と４５℃の間、好ましくは３５℃と４０℃の間である、請求項１１または１２に記載のプロセス。
【請求項１４】
人または動物の欠損部位における骨形成、骨再生および／または骨修復を促進するための、請求項１〜１０のいずれかに記載のＣＡＰ／ＨＡＰ骨代用材料。
【手続補正書】
【提出日】平成25年6月18日(2013.6.18)
【手続補正１】
【補正対象書類名】特許請求の範囲
【補正対象項目名】請求項５
【補正方法】変更
【補正の内容】
【請求項５】
ストリッパーから生じ、放出された酸性ガスを冷却し、飛沫同伴されたアミン、水及び／又はストリッピング助剤を少なくとも部分的に液相へ凝縮させる、請求項１から４までのいずれか１項記載の方法。